(57)【要約】  ルーバー（３０）は、板状部（３１）、開口部（３２）及び、溝（３４Ａ）を備える。板状部（３１）は、発光素子（１０）を支持する基板よりも正面側に配置される。開口部（３２）は、板状部（３１）に形成される。そして、開口部（３２）は、発光素子（１０）が発する光を通過させる。溝（３４Ａ）は、板状部（３１）の背面側の面に配置される。そして、溝（３４Ａ）は、開口部（３２）が有する内壁の背面側端部から下方向に延在する。
2020153380.tif 000002
【特許請求の範囲】
【請求項１】
発光素子を支持する基板よりも正面側に配置される板状部と、
該板状部に形成され、前記発光素子が発する光を通過させる開口部と、
前記板状部の背面側の面に配置され、前記開口部が有する内壁の背面側端部から下方向に延在する第１の溝と、
を備える表示装置用ルーバー。
【請求項２】
前記第１の溝は、上方向に向かうに従い深くなる、
請求項１に記載の表示装置用ルーバー。
【請求項３】
前記開口部は、正面視円形状であり、
前記第１の溝は、前記開口部が有する内壁の最下部からさらに下方向に延在する、
請求項１又は２に記載の表示装置用ルーバー。
【請求項４】
前記第１の溝の深さは、前記板状部の板厚の半分以上である、
請求項１から３のいずれか１項に記載の表示装置用ルーバー。
【請求項５】
前記表示装置用ルーバーは、
前記開口部よりも上に配置され、前記板状部から正面側に突出する庇部を備え、
前記庇部は、下面側に形成され、正面から背面に向かって延在する第２の溝を有する、
請求項１から４のいずれか１項に記載の表示装置用ルーバー。
【請求項６】
請求項１から５のいずれか１項に記載の表示装置用ルーバーと、
前記基板に支持された前記発光素子と、
を備える表示装置。
【請求項７】
前記発光素子は、前記基板の正面側の面に、上下方向と左右方向のマトリックス状に複数個、配列され、
前記開口部は、前記板状部に前記マトリックス状に複数個、形成され、
前記第１の溝は、上下方向に隣り合う２つの前記開口部をつないでいる、
請求項６に記載の表示装置。
【発明の詳細な説明】
【技術分野】
【０００１】
本発明は表示装置用ルーバー及び表示装置に関する。
【背景技術】
【０００２】
表示装置には、道路情報表示、映像表示等をするための発光素子と、その発光素子を囲んで外光の反射を防止する庇部を有するルーバーと、を備えるものがある。このような表示装置では、ルーバーの庇部の下に水滴が付着して、その水滴が発光素子まで流れて発光素子に付着してしまうことがある。その結果、発光素子が発する光を水滴が反射又は屈折することにより、表示装置の視認性が低下してしまうことがある。そこで、水滴を排水して視認性の低下を防ぐ表示装置が開発されている。【０００３】
例えば、特許文献１には、レンズ部を有するレンズケースによって発光素子を覆うことにより、発光素子を防水した表示装置が開示されている。【０００４】
特許文献１に記載の表示装置では、発光素子及びレンズ部が、上下及び左右方向のマトリックス状に配置されている。一方、ルーバーは、上下方向に配列されたレンズ部の間に設けられた庇部を有する。庇部には、水が溜まることを防ぐため、水抜き孔が形成されている。これにより、水がレンズ部に触れにくい。その結果、表示装置の視認性の低下が防止されている。【０００５】
また、特許文献２には、上下及び左右方向のマトリックス状に配置された複数の発光素子と、それら発光素子の前方に配置された格子状のルーバーと、を備える表示装置が開示されている。【０００６】
特許文献２に記載の表示装置では、ルーバーは、上下方向に延在する柱部と、柱部よりも前方に突出し、左右方向に延在する庇部と、によって形成されている。庇部は、後端に向かって低くなる傾斜の上面を有している。そして、庇部の後端は、柱部の前後方向の中央に位置する。特許文献２に記載の表示装置では、庇部に水滴が付着すると、その水滴は、庇部の上面に沿って後方へ流れる。さらに、その水滴は、庇部の後端から柱部と柱部の間の隙間へ落下する。これにより、特許文献２に記載の表示装置では、庇部に水滴が留まることが防がれて、表示装置の視認性の低下が防がれている。
【先行技術文献】
【特許文献】
【０００７】
【特許文献１】特開２０１０−１８１７２１号公報
【特許文献２】特開２０１２−２２０６１６号公報
【発明の概要】
【発明が解決しようとする課題】
【０００８】
ルーバーには、上述した庇部のほか、発光素子又はレンズの正面側を覆う板状部に、発光素子の光を通過させる開口部が設けられたものがある。このようなルーバーでは、開口部の内壁に水滴が付着するとその水滴によって表示装置の視認性が低下してしまう。このため、ルーバーでは、開口部の内壁に付着した水滴を開口部から排出する必要がある。【０００９】
しかし、特許文献１に記載の表示装置では、水抜き孔が庇部にあるため、開口部の内壁に付着した水滴の排出が難しい。【００１０】
また、特許文献２に記載の表示装置では、ルーバーに板状部と開口部が設けられていると、柱部と柱部の間の隙間へ落下する水滴が板状部に遮られることにより、水滴が板状部の正面側に溜まるおそれがある。これにより、その水滴が開口部内に浸入して、開口部の内壁に水滴が付着するおそれがある。この場合、開口部から水滴を排水することは難しい。【００１１】
本発明は上記の課題を解決するためになされたもので、開口部の水を容易に排水できる表示装置用ルーバー及び表示装置を提供することを目的とする。
【課題を解決するための手段】
【００１２】
上記の目的を達成するため、本発明に係る表示装置用ルーバーは、板状部、開口部及び第１の溝を備える。板状部は、発光素子を支持する基板よりも正面側に配置される。開口部は、板状部に形成され、発光素子が発する光を通過させる。第１の溝は、板状部の背面側の面に配置され、開口部が有する内壁の背面側端部から下方向に延在する。
【発明の効果】
【００１３】
本発明の構成によれば、第１の溝が開口部の内壁の背面側端部から下方向に延在しているので、開口部の内壁に水滴が付着した場合、その水滴を溝に伝えて下方向に流すことができる。その結果、表示装置用ルーバーでは、開口部の水滴を容易に排水できる。
【図面の簡単な説明】
【００１４】
【図１】本発明の実施の形態１に係る表示装置の斜視図
【図２】図１に示すII領域の拡大正面図
【図３】図２に示すIII-III切断線の断面図
【図４】図２に示すIV-IV切断線の断面図
【図５】本発明の実施の形態２に係る表示装置を垂直面で切断したときの断面図
【図６】本発明の実施の形態２に係る表示装置を水平面で切断したときの断面図
【図７】本発明の実施の形態３に係る表示装置が備える庇部の斜視図
【図８】本発明の実施の形態１に係る表示装置が備える溝の変形例の断面図
【図９】本発明の実施の形態２に係る表示装置が備える溝の変形例の断面図
【図１０】本発明の実施の形態２に係る表示装置が備える溝の変形例の断面図
【発明を実施するための形態】
【００１５】
以下、本発明の実施の形態に係る表示装置用ルーバー及び表示装置について図面を参照して詳細に説明する。なお、図中、同一又は同等の部分には同一の符号を付す。図に示す直交座標系ＸＹＺにおいて、表示装置の文字、映像等を表示する表示部を正面としたときの、左右方向がＸ軸、上下方向がＺ軸、Ｘ軸とＺ軸とに直交する方向がＹ軸である。以下、適宜、この座標系を引用して説明する。
【００１６】
（実施の形態１）
実施の形態１に係る表示装置は、道路情報を表示する道路情報表示板として使用される表示装置である。この表示装置は、主に屋外に設置されるため、水滴が付着することがある。この表示装置が備えるルーバーには、その水滴を排水するための溝が形成されている。以下、図１−図４を参照して、実施の形態１に係る表示装置について説明する。
【００１７】
図１は、実施の形態１に係る表示装置１Ａの斜視図である。図２は、図１に示すII領域の拡大正面図である。図３は、図２に示すIII-III切断線の断面図である。図４は、図２に示すIV-IV切断線の断面図である。なお、図３及び図４では、理解を容易にするため、各部品の間隔が強調されている。また、図２−図４で溝３４Ａの大きさも強調されている。
【００１８】
図１及び図２に示すように、表示装置１Ａは、光を発する複数の発光素子１０と、発光素子１０それぞれの光を集光するレンズ２０と、レンズ２０で外光が反射、屈折することを防ぐルーバー３０と、を備えている。
【００１９】
複数の発光素子１０は、図２に示すように、上下及び左右方向に配列している。すなわち、複数の発光素子１０は、マトリックス状に配置されている。一方、発光素子１０それぞれは、赤色、緑色及び青色に発光する、図示しない３つの発光ダイオード（ＬＥＤ: light emitting diode）を有する。発光素子１０では、３つの発光ダイオードが図示しない制御装置によって調光される。これにより、発光素子１０は、発光色と輝度を変化させる。その結果、表示装置１Ａは、制御装置によって発光素子１０それぞれが所望の色と輝度に発光することにより、カラー映像、文字を表示する。
【００２０】
発光素子１０は、図３及び図４に示すように、正面側、すなわち＋Ｙ方向に板面を向けた基板１１によって支持されている。そして、発光素子１０は、図示しない光を発光する発光部を正面側に向けている。基板の＋Ｙ側には、レンズ２０が配置されている。
【００２１】
レンズ２０は、複数のレンズ部２１と、複数のレンズ部２１を連結する単一の本体部２２と、を有している。
【００２２】
複数のレンズ部２１は、図２に示すように、上述したマトリックス状に配置されている。そして、レンズ部２１それぞれは、無色透明の樹脂で形成されている。また、レンズ部２１それぞれは、正面視円形状である。レンズ部２１それぞれは、図３及び図４に示すように、正面側に凸状である。レンズ部２１それぞれは、発光素子１０それぞれの正面側に位置する。これにより、レンズ部２１それぞれは、発光素子１０の光を集光する。
【００２３】
これに対して、本体部２２は、板状である。本体部２２は、発光素子１０の正面側を覆っている。本体部２２とレンズ部２１の正面側には、ルーバー３０が配置されている。なお、本体部２２が発光素子１０を覆うことから、レンズ２０はレンズケースともいう。
【００２４】
ルーバー３０は、図２に示すように、板状部３１と、板状部３１に形成された複数の開口部３２と、板状部３１から正面側、すなわち、＋Ｙ側に突出する複数の庇部３３と、を有する。なお、ルーバー３０は、本明細書でいうところの表示装置用ルーバーの一例である。
【００２５】
板状部３１は、外光を吸収するため、黒色の樹脂で形成されている。そして、板状部３１は、レンズ２０全体を覆っている。なお、板状部３１は、ベース部とも呼ばれる。
【００２６】
これに対して、複数の開口部３２は、レンズ部２１に集光された発光素子１０の光を通過させるため、上述したマトリックス状に配列されている。開口部３２それぞれは、レンズ部２１に集光した光を通過させるため、正面視円形の形状に形成されている。そして、開口部３２それぞれは、板状部３１を貫通している。
【００２７】
このような表示装置１Ａは、上述したように、道路情報表示板として使用される。道路情報表示板として使用される場合、正面方向の遠方から表示装置１Ａに表示される道路情報が視認できることが望ましい。その結果、表示装置１Ａの視野角は、狭いほうが望ましい。そこで、表示装置１Ａでは、板状部３１が、図３及び図４に示すように、レンズ部２１よりも正面側に配置されている。そして、開口部３２の直径が、正面視で、レンズ部２１の直径よりも若干大きい。また、開口部３２に太陽光、街灯等の外光が入射して視認性が低下することを防ぐため、庇部３３が、板状部３１の正面側、開口部３２の上に設けられている。
【００２８】
複数の庇部３３は、図２に示すように、上下方向に隣り合う開口部３２の間それぞれに設けられている。そして、庇部３３それぞれは、左右方向に水平に延在している。また、庇部３３それぞれでは、図３に示すように、ＹＺ断面視で上辺と下辺が鋭角の先端を形成する三角形状である。そして、庇部３３それぞれは、その下辺が水平に配置され、かつ、その上辺が正面側に向かうに従い低くなる状態に配置されている。表示装置１Ａは、上述したように、主に屋外に設置されることから、水滴Ｗ１が付着することがある。庇部３３は、上述した状態に配置されることにより、その水滴Ｗ１が上面に付着した場合に、水滴Ｗ１を正面側の先端に排水する。
【００２９】
表示装置１Ａには、上述した水滴Ｗ１が庇部３３の上面に付着するほか、水滴Ｗ２、Ｗ３が開口部３２内に浸入することがある。表示装置１Ａでは、上述したように、視野角を狭くするため、レンズ部２１が、ルーバー３０の板状部３１よりも背面側に配置されている。さらに、レンズ部２１と板状部３１との間に隙間Ｇが設けられている。その結果、水滴Ｗ２がレンズ部２１に付着しても、水滴Ｗ２は、この隙間Ｇを通って下へ流れる。
【００３０】
しかし、水滴Ｗ３が開口部３２の内壁に付着した場合、水滴Ｗ３は、開口部３２の内壁に沿って内壁の最下部３２Ｌに移動するものの、移動先の内壁の最下部３２Ｌに集まってしまう。その結果、内壁の最下部３２Ｌに水が溜まることがある。特に隙間Ｇが小さく、かつ開口部３２の半径とレンズ部２１の半径の差Ｄが小さい場合、開口部３２内に水が溜まりやすい。その結果、内壁の最下部３２Ｌに溜まった水が開口部３２を通過する発光素子１０の光を反射又は屈折させて、表示装置１Ａの視認性が低下してしまうことがある。
【００３１】
そこで、ルーバー３０には、開口部３２内に溜まった水を排水するための溝３４Ａが設けられている。
【００３２】
溝３４Ａは、鉛直方向に直線的に延在している。詳細には、溝３４Ａは、開口部３２が有する内壁の最下部３２Ｌから下方に向かって直線的に延在している。そして、溝３４Ａは、下方向に隣り合う別の開口部３２まで達している。これにより、溝３４Ａは、開口部３２と開口部３２をつないでいる。
【００３３】
また、溝３４Ａは、図４に示すように、ルーバー３０が有する板状部３１の背面に配置されている。上述したように、庇部３３の上面は、正面側に向かうに従って低くなっている。このため、開口部３２の内壁の最下部３２Ｌに溜まった水のうち、開口部３２の内壁の正面側端部にある水は、庇部３３の上面に流れて落ちることができる。その結果、その水は、開口部３２の内壁から排出される。しかし、開口部３２の内壁の背面側端部にある水は、庇部３３によって排水しにくい。そこで、溝３４Ａが板状部３１の背面側に配置されている。溝３４Ａは、開口部３２の内壁の最下部３２Ｌに溜まった水のうち、開口部３２の背面側の端部にある水を排水する。
【００３４】
溝３４Ａは、板状部３１の強度を可能な限り保つため、水平断面で一つの頂点を正面側に向けた三角の形状に形成されている。その深さは、板状部３１の板厚の半分以上である。これにより、水平断面で水が流れる面積が確保されている。そして、図３に示すように、溝３４Ａは、その深さのまま、鉛直方向に延在している。溝３４Ａは、上述したように直線的に延在し、さらに下方向に隣り合う開口部３２まで達している。図２に示すように、溝３４Ａは、上下方向に配列した複数の開口部３２を貫く。そして、溝３４Ａは、図示しないルーバー３０の下端面まで延在している。その結果、溝３４Ａは、開口部３２内に水が浸入した場合に、その水をルーバー３０の下端面まで流す。なお、溝３４Ａは、本明細書でいうところの第１の溝の一例である。
【００３５】
ルーバー３０は、レンズ２０、基板１１と共に、図１に示す箱状のフレーム４０に収納されている。フレーム４０に収納された状態で、フレーム４０の下内壁とルーバー３０の間に図示しない間隙が設けられている。これにより、ルーバー３０の下端面まで水が流れた場合、その水は、その間隙を通ってフレーム４０に形成された正面側開口から外部へ排出される。
【００３６】
以上のように、実施の形態１に係る表示装置１Ａでは、溝３４Ａが板状部３１の背面に配置されている。また、溝３４Ａは、開口部３２の内壁の背面側端部から下方向に延在している。このため、開口部３２に水滴Ｗ３が付着した場合、その水滴Ｗ３は、溝３４Ａを伝って下方向へ流れる。その結果、表示装置１Ａでは、開口部３２の水を容易に排水できる。これにより、開口部３２に水が溜まって、表示装置１Ａの視認性が低下することが防止される。
【００３７】
開口部３２は、正面視円形で下に凹んでいる。このため、水滴Ｗ３は、開口部３２の最下部３２Ｌに溜まりやすい。これに対して、開口部３２の内壁の最下部３２Ｌに溝３４Ａが配置されている。このため、表示装置１Ａでは、開口部３２に溜まった水が排出されやすい。また、溝３４Ａが鉛直方向に直線的に延在しているため、水がより排出されやすい。
【００３８】
ルーバー３０と表示装置１Ａは、板状部３１に溝３４Ａを形成するだけであるため、製造が容易である。例えば、開口部３２に水滴Ｗ３が付着したままにすることを防ぐために、親水性塗料の塗装をルーバー３０に施す必要がない。またぬれ性を向上させる表面処理をルーバー３０に施す必要がない。その結果、ルーバー３０と表示装置１Ａの製造が容易で、それらの製造コストを下げることができる。
【００３９】
（実施の形態２）
実施の形態１に係る表示装置１Ａでは、溝３４Ａが一定の深さのまま、下方向に延在している。しかし、表示装置１Ａはこれに限定されない。実施の形態２に係る表示装置１Ｂでは、溝３４Ｂの深さが変化している。
【００４０】
以下、図５及び図６を参照して、実施の形態２に係る表示装置１Ｂについて説明する。実施の形態２では、実施の形態１と異なる構成について説明する。
【００４１】
図５は、実施の形態２に係る表示装置１Ｂを垂直面で切断したときの断面図である。図６は、表示装置１Ｂを水平面で切断したときの断面図である。なお、図５は、図２に示すIII-III切断線と同じ切断線で表示装置１Ｂを切断したときの断面を示している。図６は、図２に示すIV-IV切断線と同じ切断線で表示装置１Ｂを切断したときの断面を示している。
【００４２】
図５及び図６に示すように、溝３４Ｂは、隣り合う開口部３２の間で、開口部３２が有する内壁の最下部３２Ｌで深く、その下方向で浅い。詳細には、溝３４Ｂは、開口部３２の内壁の最下部３２Ｌで深く、下方向に向かうに従って浅くなった後、さらに、その下では、一定の深さである。
【００４３】
ここで、図３及び図４では、実施の形態１の溝３４Ａを強調しているため、図５及び図６に示す溝３４Ｂの内壁の最下部３２Ｌでの幅、深さが図３及び図４に示す溝３４Ａと同じ幅、深さに示されている。しかし、溝３４Ｂの内壁の最下部３２Ｌでの深さ、幅は、溝３４Ａのそれらよりも大きい。これにより、開口部３２の内壁の最下部３２Ｌに溜まった水滴Ｗ３をより速やかに排水できる。
【００４４】
以上のように、実施の形態２に係る表示装置１Ｂでは、溝３４Ｂは、開口部３２が有する内壁の最下部３２Ｌで深く、その下方向で浅い。換言すると、溝３４Ｂは上方向に向かうに従い浅くなる形状である。このため、表示装置１Ｂでは、開口部３２の内壁の最下部３２Ｌに溜まった水滴Ｗ３を速やかに溝３４Ｂに流して、水滴Ｗ３を開口部３２の内壁から速やかに排出できる。
【００４５】
（実施の形態３）
実施の形態１及び２に係る表示装置１Ａ、１Ｂでは、溝３４Ａ、３４Ｂが、ルーバー３０の板状部３１に形成されている。しかし、ルーバー３０はこれに限定されない。ルーバー３０には、溝３４Ａ、３４Ｂとは別の溝が形成されてもよい。実施の形態３に係る表示装置１Ｃでは、庇部３５に複数の溝３６が形成されている。
【００４６】
以下、図７を参照して、実施の形態３に係る表示装置１Ｃについて説明する。実施の形態３では、実施の形態１及び２と異なる構成について説明する。
【００４７】
図７は、実施の形態３に係る表示装置１Ｃが備える庇部３５の斜視図である。なお、図７では、理解を容易にするため、ルーバー３０の構成のうち、開口部３２、溝３４Ａ、３４Ｂを省略している。
【００４８】
図７に示すように、複数の溝３６は、庇部３５の下面に配置されている。溝３６それぞれの形状は正面視矩形状である。それら溝３６の幅は、水が表面張力で溝３６内にとどまれる程度の大きさである。そして、溝３６は、その形状のまま、庇部３５の正面側の先端から、その反対側の末端に向かって直線的に延在する。また、溝３６は互いに平行である。なお、溝３６は、本明細書でいうところの、第２の溝の一例である。
【００４９】
表示装置１Ｃでは、庇部３５の上に水滴Ｗ１が付着した場合、その水滴Ｗ１は庇部３５の下に流れる。このとき、庇部３５の下面側に上述した溝３６が形成されているので、庇部３５の下に流れた水滴Ｗ１は、庇部３５から垂れないで、溝３６の内部に入り込む。
【００５０】
また、図示しないが、庇部３５の下面側に水滴が付着した場合、その庇部３５の下面側にある水滴も溝３６の内部に入り込む。そして、溝３６の内部に入り込んだ水は、溝３６の、庇部３５の末端から板状部３１を伝って、庇部３５と下方向に隣り合う、図示しない別の庇部３５の上面側まで流れる。さらに、その水は、その別の庇部３５の下側へ流れる。
【００５１】
この一連の水の流れを繰り返すことにより、水は、最下段の庇部３５まで達し、さらにその下へ流れる。そして、最終的に、水滴Ｗ１は、表示装置１Ｃからを排出される。
【００５２】
以上のように、実施の形態３に係る表示装置１Ｃでは、庇部３５の下面側に正面から背面へ延在する溝３６が形成されているので、水滴Ｗ１が垂れにくい。また、表示装置１Ｃでは、水滴Ｗ１を庇部３５の、背面側にある基部から板状部３１へ導いて排水することができる。
【００５３】
以上、本発明の実施の形態に係る表示装置用ルーバー３０及び表示装置１Ａ−１Ｃを説明したが、ルーバー３０及び表示装置１Ａ−１Ｃは上記の実施の形態に限定されるものではない。例えば、実施の形態１−３に係る表示装置１Ａ−１Ｃでは、溝３４Ａ、３４Ｂが、開口部３２それぞれに１つ形成されている。また、溝３４Ａ、３４Ｂの断面形状が三角形状である。しかし、表示装置１Ａ−１Ｃでは溝３４Ａ、３４Ｂの数は任意である。また、溝３４Ａ、３４Ｂの延在方向に垂直な断面の形状も任意である。
【００５４】
図８は、実施の形態１に係る表示装置１Ａが備える溝３４Ａの変形例の断面図である。図９及び図１０は、実施の形態２に係る表示装置１Ｂが備える溝３４Ｂの変形例の断面図である。なお、図８及び図１０は、図２に示すIV-IV切断線と同じ切断線で表示装置１Ａ、１Ｂを切断したときの断面を示している。図９は、図２に示すIII-III切断線と同じ切断線で表示装置１Ｂを切断したときの断面を示している。また、図８−図１０では、理解を容易にするため、図２−図４と同様に溝３４Ｃ、３４Ｄの大きさが強調されている。
【００５５】
図８に示すように、表示装置１Ｄでは、ルーバー３０の板状部３１に溝３４Ｃが複数個形成されている。溝３４Ｃの水平断面の形状は半円形状である。そして、溝３４Ｃは、図示しないがその形状のまま、下方向へ延在している。なお、溝３４Ｃは互いに平行である。
【００５６】
このように、溝３４Ａ、３４Ｂは、複数設けられていてもよい。また、溝３４Ａ、３４Ｂの断面の形状は、三角形状のほか、半円形状であってもよい。ここで、溝３４Ａ、３４Ｂの断面とは、溝３４Ａ、３４Ｂの延在方向に垂直な断面のことである。また、図示しないが、溝３４Ａ、３４Ｂの断面の形状は、矩形状、半楕円形状等であってもよい。
【００５７】
なお、図示しないが、複数の溝３４Ｃのうち、開口部３２内の左右方向で中央よりも左右にある溝３４Ｃは、開口部３２の内壁の最下部３２Ｌに形成されていない。このように、表示装置１Ａ−１Ｃでは、溝３４Ａ、３４Ｂの位置は、開口部３２の内壁の最下部３２Ｌ以外であってもよい。溝３４Ａ、３４Ｂは、開口部３２の内壁に付着した水滴Ｗ３を排水するため、開口部３２の内壁で下方向にある部分に形成されているとよい。
【００５８】
また、表示装置１Ｅでは、図９に示すように、溝３４Ｄが、開口部３２の内壁の最下部３２Ｌから下方向に向かうに従い浅くなり、その溝３４Ｄは、開口部３２と下方向に隣り合う開口部３２の内壁の最上部３２Ｕで途切れている。すなわち、溝３４Ｄは、隣り合う開口部３２の内壁の最上部３２Ｕまで達していない。
【００５９】
このように、溝３４Ａ、３４Ｂは、下方向に隣り合う開口部３２の内壁の最上部３２Ｕまで達していなくてもよい。この場合、板状部３１とレンズ部２１との間にある隙間Ｇは、水が通過可能な程度に大きいとよい。このような形態であれば、溝３４Ａ、３４Ｂを流れる水をその隙間Ｇに流すことができる。
【００６０】
また、表示装置１Ｅでは、図１０に示すように、溝３４Ｄが開口部３２と同じ幅に形成されている。このため、溝３４Ｄは、開口部３２の内壁の、いすれの箇所に付着した水滴Ｗ３でも、その水滴Ｗ３を受けることができる。
【００６１】
さらに、溝３４Ｄは、開口部３２の左右方向の中央で深い。詳細には、溝３４Ｄは、開口部３２の左端から中央に向かうに従い深い。また、開口部３２の右端から中央に向かうに従い深い。開口部３２の内壁は、下に向かうに従い左右方向の中央に屈曲する形状を有するので、水滴Ｗ３は、下に向かうに従い開口部３２の左右方向の中央に集まる。その結果、水滴Ｗ３は、溝３４Ｄに入りやすい。これにより、溝３４Ｄは、開口部３２の内壁の水を効果的に集めて、下方向へ流すことができる。
【００６２】
このように、溝３４Ａ、３４Ｂは、溝３４Ｄと同様に、開口部３２と同じ幅に形成されてもよい。なお、溝３４Ａ−３４Ｄの幅は、開口部３２の幅以下であるとよい。
【００６３】
実施の形態１−３では、ルーバー３０が庇部３５を備えているが、表示装置１Ａ−１Ｃでは、庇部３５は任意の構成である。表示装置１Ａ−１Ｃでは、ルーバー３０が板状部３１、開口部３２、溝３４Ａ−３４Ｄを備えていればよい。そして、板状部３１が基板１１よりも正面側に配置され、かつ開口部３２が板状部３１に形成される共に、発光素子１０が発する光を通過させていればよい。さらに、溝３４Ａ−３４Ｄは、開口部３２が有する内壁の背面側端部から下方向に延在していればよい。従って、ルーバー３０は、庇部３５を備えていなくてもよい。例えば、ルーバー３０の板状部３１が開口部３２の直径よりも厚く、開口部３２が庇部３５の替わりに外光を遮ってもよい。
【００６４】
実施の形態１−３では、開口部３２が正面視円形状であるが、開口部３２の形状は、発光素子１０が発する光を通過させる限りにおいて、任意である。例えば、開口部３２の形状は、正面視楕円形状、いわゆる長孔の形状であってもよい。開口部３２は、水滴Ｗ３を集めて、溝３４Ａ−３４Ｄに排水しやすくするため、下に向かって凹んでいる形状であるとよい。
【００６５】
実施の形態１−３では、表示装置１Ａ−１Ｃがレンズ２０を備えているが、表示装置１Ａ−１Ｃでは、レンズ２０は任意の構成である。表示装置１Ａ−１Ｃは、レンズ２０を備えなくてもよい。このように、表示装置１Ａ−１Ｃは、レンズ２０を備えない表示装置にも適用可能である。
【００６６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【００６７】
本出願は、平成３１年１月２５日に出願された日本国特許出願特願２０１９−０１０７４６号に基づく。本明細書中に日本国特許出願特願２０１９−０１０７４６号の明細書、特許請求の範囲、図面全体を参照として取り込むものとする。
【符号の説明】
【００６８】
１Ａ−１Ｅ  表示装置、１０  発光素子、１１  基板、２０  レンズ、２１  レンズ部、２２  本体部、３０  ルーバー、３１  板状部、３２  開口部、３２Ｌ  最下部、３２Ｕ  最上部、３３、３５  庇部、３４Ａ−３４Ｄ、３６  溝、４０  フレーム、Ｄ  差、Ｇ  隙間、Ｗ１−Ｗ３  水滴。
【図１】
2020153380.tif 000003
【図２】
2020153380.tif 000004
【図３】
2020153380.tif 000005
【図４】
2020153380.tif 000006
【図５】
2020153380.tif 000007
【図６】
2020153380.tif 000008
【図７】
2020153380.tif 000009
【図８】
2020153380.tif 000010
【図９】
2020153380.tif 000011
【図１０】
2020153380.tif 000012
【手続補正書】
【提出日】令和3年2月10日(2021.2.10)
【手続補正１】
【補正対象書類名】明細書
【補正対象項目名】００１２
【補正方法】変更
【補正の内容】
【００１２】
上記の目的を達成するため、本発明に係る表示装置用ルーバーは、発光素子を支持する基板よりも正面側に配置される板状部と、板状部に形成され、発光素子が発する光を通過させる開口部と、板状部の背面側の面に配置され、開口部が有する内壁の背面側端部から下方向に延在する第１の溝と、を備える。開口部は、正面視円形状に形成され、内壁のうちの下側内壁部分が、左右方向中央に向かうに従い下に凹む形状を有する。第１の溝は、開口部の左右方向の幅と同じ左右方向の幅に形成され、開口部の左右方向中央に向かうに従い正面側へ深くなる。
【手続補正２】
【補正対象書類名】特許請求の範囲
【補正対象項目名】全文
【補正方法】変更
【補正の内容】
【特許請求の範囲】
【請求項１】
発光素子を支持する基板よりも正面側に配置される板状部と、
該板状部に形成され、前記発光素子が発する光を通過させる開口部と、
前記板状部の背面側の面に配置され、前記開口部が有する内壁の背面側端部から下方向に延在する第１の溝と、
を備え、
前記開口部は、正面視円形状に形成され、前記内壁のうちの下側内壁部分が、左右方向中央に向かうに従い下に凹む形状を有し、
前記第１の溝は、前記開口部の左右方向の幅と同じ左右方向の幅に形成され、前記開口部の左右方向中央に向かうに従い正面側へ深くなる表示装置用ルーバー。
【請求項２】
前記第１の溝は、上方向に向かうに従い正面側へ深くなる、
請求項１に記載の表示装置用ルーバー。
【請求項３】
前記第１の溝の深さは、前記板状部の板厚の半分以上である、
請求項１又は２に記載の表示装置用ルーバー。
【請求項４】
前記表示装置用ルーバーは、
前記開口部よりも上に配置され、前記板状部から正面側に突出する庇部を備え、
前記庇部は、下面側に形成され、正面から背面に向かって延在する第２の溝を有する、
請求項１から３のいずれか１項に記載の表示装置用ルーバー。
【請求項５】
請求項１から４のいずれか１項に記載の表示装置用ルーバーと、
前記基板に支持された前記発光素子と、
を備える表示装置。
【請求項６】
前記発光素子は、前記基板の正面側の面に、上下方向と左右方向のマトリックス状に複数個、配列され、
前記開口部は、前記板状部に前記マトリックス状に複数個、形成され、
前記第１の溝は、上下方向に隣り合う２つの前記開口部をつないでいる、
請求項５に記載の表示装置。
【国際調査報告】
2020153380.tif 000013
2020153380.tif 000014
2020153380.tif 000015
2020153380.tif 000016
2020153380.tif 000017
2020153380.tif 000018